(57)【要約】【課題】上部部材に対して下部部材を作業性よく容易に取付可能とする支持部材及び該支持部材を用いた屋外構造物を提供する。【解決手段】支持部材１０は、上部部材となる垂木２８や枠部材１８に対して下部部材となる天井材２４や側部天井材３０を吊り下げ状態で取り付けるための部材であり、垂木２８に取付固定される上取付部５１と、天井材２４や側部天井材３０が取付固定される下取付部５２とを備える。下取付部５２は、下端面で開口した入口開口５２ａと、入口開口５２ａの上部に連通して設けられて入口開口５２ａよりも幅広に形成され、所定の裏板５８を挿入保持可能な裏板挿入部５２ｂと、裏板挿入部５２ｂの上部に連通して設けられて入口開口５２ａ及び裏板挿入部５２ｂよりも幅狭に形成され、取付ねじ５５，５６を螺入可能なねじ螺入溝５２ｃとを有する。【選択図】図５
2018135641.tif 000002
【特許請求の範囲】
【請求項１】
上部部材に対して下部部材を吊り下げ状態で取り付けるための支持部材であって、
前記上部部材に取付固定される上取付部と、前記下部部材が取付固定される下取付部とを備え、
前記下取付部は、下端面で開口した入口開口と、
前記入口開口の上部に連通して設けられて該入口開口よりも幅広に形成され、所定の裏板を挿入保持可能な裏板挿入部と、
前記裏板挿入部の上部に連通して設けられて前記入口開口及び前記裏板挿入部よりも幅狭に形成され、ねじを螺入可能なねじ螺入溝とを有することを特徴とする支持部材。
【請求項２】
請求項１に記載の支持部材において、
当該支持部材は押出形材で構成され、その長手方向に前記入口開口、前記裏板挿入部及び前記ねじ螺入溝が延在していることを特徴とする支持部材。
【請求項３】
請求項１又は２に記載の支持部材において、
前記ねじ螺入溝は、前記裏板挿入部と連通する入口部分に、前記裏板挿入部から前記ねじ螺入溝に向かう方向で次第に幅狭となるテーパ形状部を有することを特徴とする支持部材。
【請求項４】
桁部材と枠部材とを有し、前記桁部材と前記枠部材とに支持された垂木で天井材を支持した屋根体を有する屋外構造物であって、
上端部が前記垂木の下面と締結され、下端部が前記天井材の上面と締結されることで、前記垂木に対して前記天井材を吊り下げ状態で支持する支持部材を備え、
前記支持部材は、前記垂木に取付固定される上取付部と、前記天井材に取付固定される下取付部とを有し、
前記下取付部は、下端面で開口した入口開口と、前記入口開口の上部に連通して設けられて該入口開口よりも幅広に形成され、所定の裏板を挿入保持可能な裏板挿入部と、前記裏板挿入部の上部に連通して設けられて前記入口開口及び前記裏板挿入部よりも幅狭に形成され、ねじを螺入可能なねじ螺入溝とを有し、
一部の前記天井材は、前記ねじ螺入溝に対して螺入された前記ねじによって前記支持部材と締結され、
他部の前記天井材は、前記裏板挿入部に挿入保持された前記裏板に対して所定のねじを用いて締結されていることを特徴とする屋外構造物。
【発明の詳細な説明】
【技術分野】
【０００１】
本発明は、上部部材に対して下部部材を吊り下げ状態で支持するための支持部材及び該支持部材を用いた屋外構造物に関する。
【背景技術】
【０００２】
玄関庇やカーポート等では、屋根を下から見上げた際の意匠を向上させ、或いは屋根に付着した結露水の滴下を防止するために天井（軒天）を設けることがある。例えば特許文献１には、玄関庇に天井を設けた構成が開示されている。
【先行技術文献】
【特許文献】
【０００３】
【特許文献１】特開２０１５−１４０５２７号公報
【発明の概要】
【発明が解決しようとする課題】
【０００４】
通常、玄関庇やカーポート等の建造物に天井材を設置する場合、屋根材を支持した桁部材や枠部材、垂木等の上部部材に対し、下部部材となる天井材をドリルねじを用いて下から上向きに打つことが行われている。このため、ドリルねじによる切子が落下して施工現場や作業者が汚れることがある。また、切子が落下する中でねじ止めを行う必要があることから作業性が低いという問題もある。
【０００５】
本発明は、上記従来技術の課題を考慮してなされたものであり、上部部材に対して下部部材を作業性よく容易に取付可能とする支持部材及び該支持部材を用いた屋外構造物を提供することを目的とする。
【課題を解決するための手段】
【０００６】
本発明に係る支持部材は、上部部材に対して下部部材を吊り下げ状態で取り付けるための支持部材であって、前記上部部材に取付固定される上取付部と、前記下部部材が取付固定される下取付部とを備え、前記下取付部は、下端面で開口した入口開口と、前記入口開口の上部に連通して設けられて該入口開口よりも幅広に形成され、所定の裏板を挿入保持可能な裏板挿入部と、前記裏板挿入部の上部に連通して設けられて前記入口開口及び前記裏板挿入部よりも幅狭に形成され、ねじを螺入可能なねじ螺入溝とを有することを特徴とする。
【０００７】
このような構成によれば、支持部材は、ねじを用いて下部部材を下取付部に締結する際は、ねじを入口開口から裏板挿入部を通してねじ螺入溝に螺入させればよい。このため、締結時に切子が発生せず、上向き作業になる天井材の取付作業時の作業性が向上すると共に、切子の発生によって施工現場や作業者が汚れることも抑制できる。しかも当該支持部材は、裏板を保持可能な裏板挿入部を有する。このため、裏板挿入部に保持した裏板に対して、例えばねじ螺入溝を用いて締結する下部部材とは別の下部部材を締結することができる。このため、当該支持部材は高い汎用性を有し、施工現場での作業性も一層向上する。
【０００８】
本発明に係る支持部材において、当該支持部材は押出形材で構成され、その長手方向に前記入口開口、前記裏板挿入部及び前記ねじ螺入溝が延在した構成であってもよい。そうすると、当該支持部材の製造効率が向上し、コストを低減できる。しかも当該支持部材の長手方向に入口開口等が延在している。このため、１本の支持部材の長手方向の所望位置に異なる種類の下部部材を適宜取り付けることができ、高い汎用性や作業性が得られる。
【０００９】
本発明に係る支持部材において、前記ねじ螺入溝は、前記裏板挿入部と連通する入口部分に、前記裏板挿入部から前記ねじ螺入溝に向かう方向で次第に幅狭となるテーパ形状部を有する構成であってもよい。すなわち当該支持部材は、入口開口から裏板挿入部で一端開口幅が広がった後、再びねじ螺入溝で開口幅が狭くなる。このため、ねじ螺入溝に対してねじを円滑に挿入できない懸念もある。この点、ねじ螺入溝の入口部分にテーパ形状部を設けることで、ねじ螺入溝に対してねじを円滑に挿入可能であり、作業性が一層向上する。
【００１０】
本発明に係る屋外構造物は、桁部材と枠部材とを有し、前記桁部材と前記枠部材とに支持された垂木で天井材を支持した屋根体を有する屋外構造物であって、上端部が前記垂木の下面と締結され、下端部が前記天井材の上面と締結されることで、前記垂木に対して前記天井材を吊り下げ状態で支持する支持部材を備え、前記支持部材は、前記垂木に取付固定される上取付部と、前記天井材に取付固定される下取付部とを有し、前記下取付部は、下端面で開口した入口開口と、前記入口開口の上部に連通して設けられて該入口開口よりも幅広に形成され、所定の裏板を挿入保持可能な裏板挿入部と、前記裏板挿入部の上部に連通して設けられて前記入口開口及び前記裏板挿入部よりも幅狭に形成され、ねじを螺入可能なねじ螺入溝とを有し、一部の前記天井材は、前記ねじ螺入溝に対して螺入された前記ねじによって前記支持部材と締結され、他部の前記天井材は、前記裏板挿入部に挿入保持された前記裏板に対して所定のねじを用いて締結されていることを特徴とする。
【００１１】
このような構成によれば、屋根体での一部の天井材の締結と、他部の天井材の締結とに共通の支持部材を利用しているため、構造物全体での作業性が向上すると共に、コストが低減される。
【発明の効果】
【００１２】
本発明によれば、上部部材に対して下部部材を作業性よく容易に取付可能となる。
【図面の簡単な説明】
【００１３】
【図１】図１は、本発明の一実施形態に係る支持部材を用いた屋外構造物の正面図である。
【図２】図２は、図１に示す屋外構造物の側面断面図である。
【図３】図３は、図１に示す屋外構造物の一部を下から見上げた状態を示す一部断面斜視図である。
【図４】図４は、屋根体の桁部材より後側部分の左側端部を拡大した正面断面図である。
【図５】図５は、支持部材の側面図である。
【図６】図６は、支持部材で天井材を吊下支持した状態を示す側面断面図である。
【図７】図７は、支持部材で側部天井材を吊下支持した状態を示す側面断面図である。
【発明を実施するための形態】
【００１４】
以下、本発明に係る支持部材について、この支持部材を用いた屋外構造物を例示して好適な実施の形態を挙げ、添付の図面を参照しながら詳細に説明する。
【００１５】
１．屋外構造物の全体構成の説明
図１は、本発明の一実施形態に係る支持部材１０を用いた屋外構造物１１の正面図である。図２は、図１に示す屋外構造物１１の側面断面図である。図３は、図１に示す屋外構造物１１の一部を下から見上げた状態を示す一部断面斜視図である。本実施形態は、住宅や店舗等の建物の玄関前の上部に設置される玄関庇としての屋外構造物１１に支持部材１０を適用した構成を例示する。屋外構造物１１は、例えばカーポートやテラス屋根等でもよい。支持部材１０は、屋内に設置される構造物に利用してもよい。
【００１６】
以下、玄関庇である屋外構造物１１に対して人が玄関に進入する方向を正面とし、屋外構造物１１を正面から見て手前側を前、奥側を後、上方を上、下方を下、左方を左、右方を右、と呼んで説明する。また各図においては、前後方向を矢印Ｚで示し、上下方向を矢印Ｙで示し、左右方向を矢印Ｘで示す。
【００１７】
図１〜図３に示すように、屋外構造物１１は、支持部材１０を用いた屋根体１２と、左右一対の柱部材１４，１４とを備える。
【００１８】
屋根体１２は、天井１６を設けた軒天構造であり、枠部材１８と、桁部材２０と、屋根材２２と、天井材２４とを有する。本実施形態では、天井１６の支持に支持部材１０を用いている。屋根体１２は、後側から前側に向かって次第に下方に傾斜した前下がり構造である。
【００１９】
枠部材１８は、左右方向に延びた前側の前枠１８ａ及び後側の垂木掛け１８ｂと、前後方向に延びた左側の側枠１８ｃ及び右側の側枠１８ｄとを四周枠組みした構成である。各枠１８ａ〜１８ｄは、アルミニウム等の金属の押出形材である。前枠１８ａ及び左右の側枠１８ｃ，１８ｄの外面には、帯板状のパネル材である化粧材２５が装着されている。化粧材２５は屋根体１２の前側面及び左右側面の３面を覆うものであり、屋根体１２の外観品質を向上するものである。枠部材１８は、垂木掛け１８ｂが取付ねじ２６を用いて建物の外壁２７に連結される（図２参照）。つまり垂木掛け１８ｂは当該屋外構造物１１を建物の外壁２７に取付固定する取付部として機能する。
【００２０】
桁部材２０は、左右方向に延在する断面略矩形状の角柱部材である。桁部材２０は、枠部材１８の内側で前寄りの位置に設けられ、左右の柱部材１４，１４間を連結して枠部材１８を支持している。桁部材２０、前枠１８ａ及び垂木掛け１８ｂの上面には、前後方向に沿って延びた複数の垂木２８が支持される。各垂木２８は、枠部材１８及び桁部材２０の上面上で左右方向に並んで固定される。
【００２１】
屋根材２２は、樹脂や金属等の薄板で形成されて前後方向に延びたパネルである。屋根材２２は、前枠１８ａ、垂木掛け１８ｂ、側枠１８ｃ，１８ｄ及び垂木２８に支持され、左右方向に複数並設されることで屋根体１２の上面を覆っている。
【００２２】
天井１６は、屋根材２２の下方に設けられた軒天である。天井１６は、天井材２４と、側部天井材３０とで構成されている。天井材（軒天材）２４は、樹脂や金属等の薄板で形成されて前後方向に延びたパネルである。天井１６の大部分は天井材２４によって構成されている。天井材２４は、左右の柱部材１４，１４間に亘って左右方向に複数並設されると共に、桁部材２０を挟んで前後方向に２列設けられている。側部天井材３０は、柱部材１４との干渉を考慮して天井材２４を設置できない部分、具体的には天井１６の左右側縁部を構成するものである。側部天井材３０は、当該屋外構造物１１を前側から見た正面視で、左右の柱部材１４に重なる位置に設けられ、天井材２４の側端部と連続している。側部天井材３０は、左右の側枠１８ｃ，１８ｄと連結され、左右両端の天井材２４とも連結されるアタッチメント部材である。
【００２３】
柱部材１４は、断面略矩形状に構成されて上下に延びた角柱部材である。柱部材１４は、下端部が地面３２に固定され、上端部が桁部材２０と連結されることで、屋根体１２を支持する支柱である。
【００２４】
図３に示すように、柱部材１４と桁部材２０とは、柱部材１４の上端部に桁部材２０の端部が飲み込まれた構造、つまり柱勝ち構造で連結される。柱部材１４は、その内側面（例えば左側の柱部材１４の場合は右側面）の上部に切欠部３４を有する。切欠部３４は、桁部材２０の端部を挿入可能であると共に、挿入した状態でほとんど隙間を生じない形状とされる。切欠部３４に桁部材２０の端部を挿入した状態で連結ねじ３５を締め付けることで、柱部材１４と桁部材２０とが締結固定される。本実施形態の場合、連結ねじ３５による柱部材１４と桁部材２０との締結部である連結部３８が、天井材２４と屋根材２２との間となる高さ位置に位置している（図２参照）。つまり連結部３８は、天井材２４と屋根材２２との間に形成された天井裏空間Ｓに位置し、外部から視認できない配置である。このため、屋外構造物１１の外観品質が確保されている。
【００２５】
図１に示すように、屋外構造物１１は、左側の柱部材１４に沿って設けられ、屋根材２２からの雨水等を排水する排水管４０を備える。図２に示すように、排水管４０の上端部は、前枠１８ａの左端部に連結された前枠樋部に連結されたドレイン４２と連結されている。ドレイン４２は、屋根材２２上を前側に滑って前枠１８ａに落下した雨水等を集めて排水管４０へと流通させるためのロートとして機能する。排水管４０は、左右の柱部材１４，１４のそれぞれに沿って一対配設されてもよく、この場合はドレイン４２を前枠１８ａの左右両端に設けるとよい。
【００２６】
排水管４０は、上端部がドレイン４２の下端面に連結され、天井材２４と屋根材２２との間の天井裏空間Ｓを通って柱部材１４の前側面に到達する。排水管４０は、柱部材１４の前側面に沿って下方に垂下された後、下端部が地面３２付近で開口して排水口４０ａを形成している。本実施形態では、柱部材１４の前側面に排水管４０の周囲を覆い隠す排水管カバー４３を装着している。このため、排水管４０はその下端部の排水口４０ａ付近のみが外部に露出し、他の部分は全て隠された取付構造となっている。本実施形態では左右の柱部材１４，１４のそれぞれに排水管カバー４３を装着し、左右の柱部材１４，１４間の外観品質を確保している。
【００２７】
図２に示すように、柱部材１４の後側面には、略Ｌ字形状の受け部材４４が取付固定されている。受け部材４４は、桁部材２０の後側の天井材２４の前端部を載置可能な樋形状に構成されている。受け部材４４は、左右の柱部材１４，１４間に亘って延在している。天井材２４は、屋根材２２と略平行に前下がりに設置されている。このため、桁部材２０の後側の天井材２４の表面（下面）に発生した結露水は、天井材２４の表面を前方に伝い流れて受け部材４４へと落下し、左右の柱部材１４を伝って地面３２へと排水される。
【００２８】
図２に示すように、桁部材２０より前側の天井材２４は、前端部が前枠１８ａに取付固定された前枠アタッチメント４６に載置されている。前枠アタッチメント４６は、受け部材４４と同様に左右方向に延在する樋形状を有する押出形材である。このため、桁部材２０の前側の天井材２４に発生した結露水は、前枠アタッチメント４６を流れて該前枠アタッチメント４６の左右端部と化粧材２５との間の隙間から外部に排水される。
【００２９】
２．支持部材による支持構造の説明
次に、屋根体１２での支持部材１０による支持構造を説明する。図４は、屋根体１２の桁部材２０より後側部分の左側端部を拡大した正面断面図である。
【００３０】
図２〜図４に示すように、天井１６は、その天井面が天井材２４の表面（下面）と側部天井材３０の表面（下面）とで構成され、枠部材１８の内側開口の下側を覆っている。側部天井材３０は、天井材２４と並んで配置されて天井１６の天井面の一部を形成する天井板部３０ａを有する。
【００３１】
先ず、支持部材１０の構成を説明する。
【００３２】
支持部材１０は、左右の側枠１８ｃ，１８ｄ間に亘るように、各側枠１８ｃ，１８ｄと垂木２８とに取り付けられる。支持部材１０は、垂木２８に対して天井材２４を吊下支持すると同時に、側枠１８ｃ，１８ｄに対して側部天井材３０を吊下支持する部材である。つまり本実施形態の支持部材１０は、上部部材である垂木２８に対し、下部部材である天井材２４及び側部天井材３０を吊り下げ状態で取り付けるブラケットであり、２種類の下部部材である天井材２４及び側部天井材３０の支持に兼用される。
【００３３】
図５は、支持部材１０の側面図である。図６は、支持部材１０で天井材２４を吊下支持した状態を示す側面断面図である。図７は、支持部材１０で側部天井材３０を吊下支持した状態を示す側面断面図である。
【００３４】
支持部材１０は、例えばアルミニウム等の金属製の押出形材である。図５〜図７に示すように、支持部材１０は、上端側の上取付部５１と、下端側の下取付部５２と、上取付部５１と下取付部５２との間を繋ぐ板状のブリッジ部５３とを有する。
【００３５】
上取付部５１は、ブリッジ部５３の上部を前後方向二股に分岐し、それぞれの先端部を水平方向に屈曲させた形状からなる一対の取付片５１ａ，５１ａを有する。各取付片５１ａの下面には、取付ねじ５４を穿孔するためのねじ溝５１ｂが当該支持部材１０の長手方向に延在している。各取付片５１ａは、取付ねじ５４を用いて垂木２８の下面に締結固定される。なお、本実施形態の場合、支持部材１０の左右端部の上取付部５１は、取付ねじ５４を用いて側枠１８ｃ，１８ｄの下面に締結固定される（図４参照）。
【００３６】
下取付部５２は、下端面で開口した入口開口５２ａと、入口開口５２ａの上部に連通して設けられた裏板挿入部５２ｂと、裏板挿入部５２ｂの上部に連通して設けられたねじ螺入溝５２ｃとを有する。
【００３７】
入口開口５２ａは、当該支持部材１０の長手方向に延在するスリット状の開口溝である。入口開口５２ａは、天井材２４を支持部材１０に対して締結固定するための取付ねじ５５のねじ部と、側部天井材３０を支持部材１０に対して締結固定するための取付ねじ５６のねじ部とを挿入可能な開口である。
【００３８】
裏板挿入部５２ｂは、入口開口５２ａよりも前後方向に幅広に拡幅された部分であり、当該支持部材１０の長手方向に延在し、裏板５８を挿入保持可能な溝部である。裏板５８は、ねじ穴が形成された矩形の板状部材である。裏板５８には、側部天井材３０を固定するための取付ねじ５６が締結される。
【００３９】
ねじ螺入溝５２ｃは、裏板挿入部５２ｂの上部に連通して設けられ、上下方向に延びた溝部である。ねじ螺入溝５２ｃは、入口開口５２ａ及び裏板挿入部５２ｂよりも幅狭に形成され、天井材２４を固定するための取付ねじ５５のねじ部を螺入可能である。本実施形態の場合、取付ねじ５５は、通常の雌ねじやナットとの締結に利用されるねじである。取付ねじ５５は、ねじ螺入溝５２ｃの壁面を削りながら螺入されるドリルねじであってもよい。
【００４０】
ねじ螺入溝５２ｃは、裏板挿入部５２ｂと連通する入口部分に、裏板挿入部５２ｂからねじ螺入溝５２ｃに向かう方向（下から上に向かう方向）で次第に幅狭となるテーパ形状部５２ｄを有する。テーパ形状部５２ｄは、入口開口５２ａから裏板挿入部５２ｂを通過した取付ねじ５５を、ねじ螺入溝５２ｃに円滑に螺入させるための導入部である。
【００４１】
次に、天井材２４の取付構造を説明する。
【００４２】
図２〜図４に示すように、支持部材１０は、左右方向に並んだ各垂木２８の下面に対し、延在した姿勢で前後方向に適宜間隔で複数取付固定される。天井材２４は、これら支持部材１０に対して左右方向に複数並列支持され、互いの隣接する側端部同士が嵌合される。
【００４３】
天井材２４は、その端部が取付ねじ５５を用いてねじ螺入溝５２ｃに締結され、これにより支持部材１０を介して垂木２８に吊下支持される（図６参照）。具体的には、各天井材２４は互いの隣接する側端部同士が重なり合う嵌合部において、一方の天井材２４が取付ねじ５５を用いて支持部材１０のねじ螺入溝５２ｃと締結固定される。なお、図４に示すように一方の端部に配置される天井材２４は、側部天井材３０との間の間隔を調整可能な折り線２４ｂを左右方向に複数並設した構造とされ、天井材２４全体での左右幅を容易に調整可能となっている。天井材２４の折り線２４ｂを設けた端部は、後述する連結部材６２を介して側部天井材３０とも締結固定される。
【００４４】
図２に示すように、桁部材２０より前側の天井材２４は、前端部が前枠アタッチメント４６に支持され、後端部が桁部材２０の取付溝２０ｂに支持される。支持溝２０ｂは、桁部材２０の前側面の長手方向に沿って形成された溝部であり、天井材２４の端部を挿入支持可能である。桁部材２０より後側の天井材２４は、前端部が受け部材４４に支持され、後端部が垂木掛けアタッチメント５９に支持される。垂木掛けアタッチメント５９は、垂木掛け１８ｂに取付固定されている。
【００４５】
側部天井材３０は、天井材２４側の端部に設けられた取付片３０ｂが取付ねじ５６を介して裏板５８に締結される（図４参照）。裏板５８は、裏板挿入部５２ｂに側方から挿入保持され、入口開口５２ａの縁部に引っ掛かかることで抜け止めされている。これにより、側部天井材３０は支持部材１０を介して垂木２８に吊下支持される。
【００４６】
なお、側部天井材３０は、天井材２４側とは反対側の端部が連結ねじ５７を用いて連結アタッチメント６０と連結され、連結アタッチメント６０を介して側枠１８ｃ，１８ｄと連結固定される。このため、側部天井材３０は側枠１８ｃ，１８ｄに対して強固に固定される。連結アタッチメント６０は、略Ｌ字状の押出形材であり、その上部が側枠１８ｃ，１８ｄの下面に対して取付ねじ６３を用いて連結固定される。連結アタッチメント６０は、化粧材２５を支持する機能も有する。
【００４７】
図４に示すように、天井材２４の左右一方の端部は、支持部材１０ではなく側部天井材３０に対して連結部材６２を介して取付ねじ６１を用いて締結固定される。側部天井材３０の取付片３０ｂには、連結部材６２が取付ねじ５６で共締め固定され、この連結部材６２に対して天井材２４が取付ねじ６１によって締結される。なお、天井材２４の左右他方の端部は、側部天井材３０の取付片３０ｂに対して引っ掛けて連結される。連結部材６２や取付ねじ６１、天井材２４の取付片３０ｂに対する引っ掛け部が外観上に露出することを防止するため、側部天井材３０の端部には前後方向に延在するカバー部材６４が装着される。
【００４８】
図２〜図４に示すように、前側及び左右両側の３面の化粧材２５は、側部天井材３０や前枠アタッチメント４６等のアタッチメント部材を介して天井材２４と連続している。このため、化粧材２５から天井材２４までが一体に構成され、屋外構造物１１の外観品質を高めている。
【００４９】
３．支持部材及び屋外構造物の作用効果の説明
以上のように、本実施形態に係る支持部材１０は、上部部材となる垂木２８（枠部材１８）に対して下部部材となる天井材２４（側部天井材３０）を吊り下げ状態で取り付けるための部材であり、垂木２８に取付固定される上取付部５１と、天井材２４（側部天井材３０）が取付固定される下取付部５２とを備える。下取付部５２は、下端面で開口した入口開口５２ａと、入口開口５２ａの上部に連通して設けられて入口開口５２ａよりも幅広に形成され、所定の裏板５８を挿入保持可能な裏板挿入部５２ｂと、裏板挿入部５２ｂの上部に連通して設けられて入口開口５２ａ及び裏板挿入部５２ｂよりも幅狭に形成され、取付ねじ５５，５６を螺入可能なねじ螺入溝５２ｃとを有する。
【００５０】
従って、支持部材１０は、取付ねじ５５を用いて下部部材である天井材２４を下取付部５２に締結する際は、取付ねじ５５を入口開口５２ａから裏板挿入部５２ｂを通してねじ螺入溝５２ｃに螺入させればよい。このため、締結時に切子が発生せず、上向き作業になる天井材２４の取付作業時の作業性が向上すると共に、切子の発生によって施工現場や作業者が汚れることも抑制できる。なお、例えば取付ねじ５５としてドリルねじを用いた場合であっても、溝部であるねじ螺入溝５２ｃを僅かに穿孔させながら容易に螺入させることができる。これにより、締結時の切子の発生量が通常のドリルねじによる締結時の切子の発生量に比べて大幅に低減される。その結果、上向き作業になる天井材２４の取付作業時の作業性が向上すると共に、切子の大量発生によって施工現場や作業者が汚れることも抑制できる。しかも当該支持部材１０は、裏板５８を保持可能な裏板挿入部５２ｂを有する。このため、裏板挿入部５２ｂに保持した裏板５８に対して、例えば天井材２４とは別の下部部材である側部天井材３０を締結することができる。このため、当該支持部材１０は高い汎用性を有し、施工現場での作業性も一層向上する。
【００５１】
当該支持部材１０は、押出形材で構成され、その長手方向に入口開口５２ａ、裏板挿入部５２ｂ及びねじ螺入溝５２ｃが延在している。このため、当該支持部材１０の製造効率が向上し、コストを低減できる。しかも当該支持部材１０の長手方向に入口開口５２ａ等が延在している。このため、１本の支持部材１０の長手方向の所望位置に異なる種類の下部部材である天井材２４や側部天井材３０を適宜取り付けることができ、高い汎用性や作業性が得られる。
【００５２】
当該支持部材１０では、ねじ螺入溝５２ｃは、裏板挿入部５２ｂと連通する入口部分に、裏板挿入部５２ｂからねじ螺入溝５２ｃに向かう方向で次第に幅狭となるテーパ形状部５２ｄを有する。すなわち、当該支持部材１０は、入口開口５２ａから裏板挿入部５２ｂで一端開口幅が広がった後、再びねじ螺入溝５２ｃで開口幅が狭くなる。このため、ねじ螺入溝５２ｃに対して取付ねじ５５を円滑に挿入できない懸念もある。この点、当該支持部材１０ではねじ螺入溝５２ｃの入口部分にテーパ形状部５２ｄを設けたため、ねじ螺入溝５２ｃに対して取付ねじ５５を円滑に挿入可能であり、作業性が一層向上する。
【００５３】
また、本実施形態に係る屋外構造物１１は、屋根体１２での一部の天井材となる天井材２４の締結と、他部の天井材となる側部天井材３０の締結とに共通の支持部材１０を利用している。このため、構造物全体での作業性が向上すると共に、コストが低減される。
【００５４】
なお、本発明は、上記した実施形態に限定されるものではなく、本発明の主旨を逸脱しない範囲で自由に変更できることは勿論である。
【符号の説明】
【００５５】
１０  支持部材、１１  屋外構造物、１２  屋根体、１４  柱部材、１６  天井、１８  枠部材、２０  桁部材、２２  屋根材、２４  天井材、２５  化粧材、２６，５４〜５６，６１  取付ねじ、２７  外壁、２８  垂木、３０  側部天井材、５１  上取付部、５２  下取付部、５２ａ  入口開口、５２ｂ  裏板挿入部、５２ｃ  ねじ螺入溝、５２ｄ  テーパ形状部、５３  ブリッジ部、５８  裏板
【図１】
2018135641.tif 000003
【図２】
2018135641.tif 000004
【図３】
2018135641.tif 000005
【図４】
2018135641.tif 000006
【図５】
2018135641.tif 000007
【図６】
2018135641.tif 000008
【図７】
2018135641.tif 000009